【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ユーザ機器(UE)のためのワイヤレス通信の方法であって、
割り振られたリソースを示すダウンリンク制御情報(DCI)を基地局から受信するステップと、
データを前記基地局から受信するステップと、
送信のための循環シフトするシーケンスを生成するステップであって、前記循環シフトするシーケンスは、前記受信されたデータに対する肯定応答(ACK)または否定(ACK)(NACK)のうちの少なくとも1つとスケジューリング要求(SR)とに基づいて循環シフトするシーケンスに対応する、ステップと、
サブフレームのスロットの一シンボル期間内に前記割り振られたリソース内で前記循環シフトするシーケンスを前記基地局に送信するステップとを含み、前記SRと前記ACKまたは前記NACKのうちの前記少なくとも1つとが、前記一シンボル期間内に一緒に送信され、前記SRと前記ACKまたは前記NACKのうちの前記少なくとも1つとが、前記一シンボル期間内に2n+1個のシーケンスのうちの1つのシーケンス内で送信され、ここでnは前記ACKまたは前記NACKのうちの前記少なくとも1つのビット数である、方法。
【請求項２】
前記DCIが、物理ダウンリンク共有チャネル(PDSCH)の第2の割り振られたリソースをさらに示し、前記データが、前記PDSCHの前記第2の割り振られたリソース内で前記基地局から受信される、請求項1に記載の方法。
【請求項３】
前記シーケンスが複数のシーケンスのうちの1つのシーケンスであり、前記1つのシーケンスは基本シーケンスの2n+1個の循環シフトのうちの1つを有する前記基本シーケンスである、請求項1に記載の方法。
【請求項４】
前記2n+1個の循環シフトが2n+1個の整数の循環シフトを含み、前記2n+1個の循環シフトの各々の間の循環シフト距離がLを2n+1で除したものに等しく、ここでLは前記2n+1個の循環シフトの各々のシーケンス長である、請求項3に記載の方法。
【請求項５】
前記2n+1個のシーケンスが、前記SRが0に等しいことを示すための2n個のシーケンスの第1のセットと、前記SRが1に等しいことを示すための2n個のシーケンスの第2のセットとを含み、2n個のシーケンスの前記第1のセットの各々または2n個のシーケンスの前記第2のセットの各々が、前記ACKまたは前記NACKのうちの前記少なくとも1つの異なる値を示す、請求項1に記載の方法。
【請求項６】
前記2n+1個のシーケンスが、前記SRが0に等しいことを示すための2n個のシーケンスの第1のセットと、前記SRが1に等しいことを示すための2n個のシーケンスの第2のセットとを含み、2n個のシーケンスの前記第1のセットおよび2n個のシーケンスの前記第2のセットが、2n個のシーケンスの前記第1のセット内の各シーケンスと2n個のシーケンスの前記第2のセット内の各シーケンスとの間の相互距離を最大化するために、基本シーケンスの前記循環シフトに関してインターレースされる、請求項1に記載の方法。
【請求項７】
前記2n+1個のシーケンスが、前記SRが0に等しいことを示すための2n個のシーケンスの第1のセットと、前記SRが1に等しいことを示すための2n個のシーケンスの第2のセットとを含み、前記ACKまたは前記NACKのうちの前記少なくとも1つが、バンドルされたACKまたはNACKを含み、前記バンドルされたACKまたはNACKは、前記ACKまたは前記NACKのうちの前記少なくとも1つの第1のACKまたはNACKと第2のACKまたはNACKとをAND演算することによって生み出される、請求項1に記載の方法。
【請求項８】
基地局のためのワイヤレス通信の方法であって、
割り振られたリソースを示すダウンリンク制御情報(DCI)をユーザ機器(UE)に送信するステップと、
データを前記UEに送信するステップと、
サブフレーム内のスロットの一シンボル期間内に前記UEに割り振られたリソース内でスケジューリング要求(SR)と肯定応答(ACK)または否定ACK(NACK)のうちの少なくとも1つとをモニタするステップとを含み、前記ACKまたは前記NACKのうちの前記少なくとも1つは前記送信されたデータに応答するものであり、前記SRと前記ACKまたは前記NACKのうちの前記少なくとも1つとは循環シフトするシーケンスによって示され、前記循環シフトするシーケンスは前記SRと前記ACKまたは前記NACKのうちの前記少なくとも1つとを示すために循環シフトするシーケンスに対応し、前記SRと前記ACKまたは前記NACKのうちの前記少なくとも1つとが、前記一シンボル期間内に一緒に受信され、前記SRと前記ACKまたは前記NACKのうちの前記少なくとも1つとが、前記一シンボル期間内に2n+1個のシーケンスのうちの1つのシーケンスによって示され、ここでnは前記ACKまたは前記NACKのうちの前記少なくとも1つのビット数である、方法。
【請求項９】
前記DCIが、物理ダウンリンク共有チャネル(PDSCH)の第2の割り振られたリソースをさらに示し、前記データが、前記PDSCHの前記第2の割り振られたリソース内で前記UEに送信される、請求項8に記載の方法。
【請求項１０】
前記SRと前記ACKまたは前記NACKのうちの前記少なくとも1つとが、前記割り振られたリソース内で受信されないと決定するステップと、
前記UEに割り振られた第2のリソース内で前記SRをモニタするステップをさらに含む、請求項8に記載の方法。
【請求項１１】
前記第2のリソース内で前記SRを検出することによって、前記SRが1に等しいことと前記ACKまたは前記NACKのうちの前記少なくとも1つに対する不連続送信(DTX)とを決定するステップ、または前記SRが前記第2のリソース内で検出されないとき、前記SRが0に等しいことと前記ACKまたは前記NACKのうちの前記少なくとも1つに対する前記DTXとを決定するステップをさらに含む、請求項10に記載の方法。
【請求項１２】
前記サブフレーム内の前記スロットの前記一シンボル期間内に前記SRと前記ACKまたは前記NACKのうちの前記少なくとも1つとをモニタするステップが、前記サブフレームの前記スロットの前記一シンボル期間内に前記SRと前記ACKまたは前記NACKのうちの前記少なくとも1つとを受信するステップを含む、請求項8に記載の方法。
【請求項１３】
前記シーケンスが複数のシーケンスのうちの1つのシーケンスであり、前記1つのシーケンスは基本シーケンスの2n+1個の循環シフトのうちの1つを有する前記基本シーケンスである、請求項8に記載の方法。
【請求項１４】
ワイヤレス通信のための装置であって
割り振られたリソースを示すダウンリンク制御情報(DCI)を基地局から受信するための手段と、
データを前記基地局から受信するための手段と、
送信のための循環シフトするシーケンスを生成するための手段であって、前記循環シフトするシーケンスは、前記受信されたデータに対する肯定応答(ACK)または否定(ACK)(NACK)のうちの少なくとも1つとスケジューリング要求(SR)とに基づいて循環シフトするシーケンスに対応する、手段と、
サブフレームのスロットの一シンボル期間内に前記割り振られたリソース内で前記循環シフトするシーケンスを前記基地局に送信するための手段とを含み、前記SRと前記ACKまたは前記NACKのうちの前記少なくとも1つとが、前記一シンボル期間内に一緒に送信され、前記SRと前記ACKまたは前記NACKのうちの前記少なくとも1つとが、前記一シンボル期間内に2n+1個のシーケンスのうちの1つのシーケンス内で送信され、ここでnは前記ACKまたは前記NACKのうちの前記少なくとも1つのビット数である、装置。
【請求項１５】
ワイヤレス通信のための装置であって
割り振られたリソースを示すダウンリンク制御情報(DCI)をユーザ機器(UE)に送信するための手段と、
データを前記UEに送信するための手段と、
サブフレーム内のスロットの一シンボル期間内に前記UEに割り振られたリソース内でスケジューリング要求(SR)と肯定応答(ACK)または否定ACK(NACK)のうちの少なくとも1つとをモニタするための手段とを含み、前記ACKまたは前記NACKのうちの前記少なくとも1つは前記送信されたデータに応答するものであり、前記SRと前記ACKまたは前記NACKのうちの前記少なくとも1つとは循環シフトするシーケンスによって示され、前記循環シフトするシーケンスは前記SRと前記ACKまたは前記NACKのうちの前記少なくとも1つとを示すために循環シフトするシーケンスに対応し、前記SRと前記ACKまたは前記NACKのうちの前記少なくとも1つとが、前記一シンボル期間内に一緒に受信され、前記SRと前記ACKまたは前記NACKのうちの前記少なくとも1つとが、前記一シンボル期間内に2n+1個のシーケンスのうちの1つのシーケンスによって示され、ここでnは前記ACKまたは前記NACKのうちの前記少なくとも1つのビット数である、装置。